(57)【要約】      （修正有）【課題】電気コネクタ及び電気コネクタアセンブリを開示する。【解決手段】電気コネクタは、絶縁ハウジングと、絶縁ハウジングに配置された複数の端子列と、を含む。各端子列は、第１の方向に沿って交互に配置された、複数のグランド端子及び複数の差分信号端子対を含む。各グランド端子は、本体部分と、２つの弾性接触部分と、を有し、これら２つの弾性接触部分は、本体部分から延びており、かつ互いに離間している。各差分信号端子対の各信号端子は、本体部分と、本体部分から延びている弾性接触部分と、を有する。端子列は、第１の方向に対して垂直な第２の方向に沿って配置され、かつ互いに離間しており、各端子列の差分信号端子対は、第２の方向における位置的に、隣接する端子列のグランド端子に対応しており、第２の方向に沿った各端子列の各差分信号端子対の正射影は、隣接する端子列において対応するグランド端子の幅が占める範囲内に位置している。【選択図】図１
2018156936.tif 000002
【特許請求の範囲】
【請求項１】
電気コネクタであって、
絶縁ハウジングと、
該絶縁ハウジングに配置された複数の端子列であって、各端子列は、第１の方向に沿って配置された、複数のグランド端子及び複数の差分信号端子対を含み、前記グランド端子及び前記差分信号端子対は、各端子列において交互に配置されており、前記端子列は、前記第１の方向に対して垂直な第２の方向に沿って配置され、かつ互いに離間している、複数の端子列と、を含み、
各グランド端子は、本体部分と、２つの弾性接触部分と、を有し、前記２つの弾性接触部分は、前記本体部分から延びており、かつ互いに離間しており、
各差分信号端子対は、２つの信号端子からなり、互いに横並びに配置された、各差分信号端子対の前記２つの信号端子の隣接する側部は、各信号端子の内向き側部を画定し、各信号端子の前記内向き側部と反対側の側部は、外側反対側部を画定し、各信号端子は、本体部分と、該本体部分から延びた弾性接触部分と、を有し、前記第１の方向における、各差分信号端子対の２つの本体部分の合計幅は、前記第１の方向における、各グランド端子の前記本体部分の幅よりも狭く、前記第２の方向に沿った、隣接する端子列における、各差分信号端子対の前記２つの本体部分の正射影は、隣接する端子列において対応する１つのグランド端子の前記本体部分の幅が占める範囲内に位置しており、前記第１の方向における、各差分信号端子対の前記２つの弾性接触部分の合計幅は、前記第１の方向における、各グランド端子の前記２つの弾性接触部分の合計幅よりも狭く、前記第２の方向に沿った、隣接する端子列における、各差分信号端子対の前記２つの弾性接触部分の正射影は、隣接する端子列において対応する１つのグランド端子の前記２つの弾性接触部分の合計幅が占める範囲内に位置している、電気コネクタ。
【請求項２】
各グランド端子は、各グランド端子の前記本体部分から延びており、かつ互いに離間した２つのテール部分を更に有し、各グランド端子の前記２つのテール部分及び前記２つの弾性接触部分は、各グランド端子の前記本体部分の対向する両側からそれぞれ延びており、各差分信号端子対の各信号端子は、各信号端子の前記本体部分から延びたテール部分を更に有し、各信号端子の前記テール部分及び前記弾性接触部分は、各信号端子の前記本体部分の対向する両側からそれぞれ延びており、前記第１の方向における、各差分信号端子対の２つのテール部分の合計幅は、前記第１の方向における、各グランド端子の前記２つのテール部分の合計幅よりも狭く、前記第２の方向に沿った、隣接する端子列における、各差分信号端子対の前記２つのテール部分の正射影は、隣接する端子列において対応する１つのグランド端子の前記２つのテール部分の合計幅が占める範囲内に位置している、請求項１に記載の電気コネクタ。
【請求項３】
各差分信号端子対の各信号端子の前記弾性接触部分の中心線は、各差分信号端子対の各信号端子の前記本体部分の中心線に対して、前記内向き側部の方向にずれている、請求項２に記載の電気コネクタ。
【請求項４】
前記第２の方向に沿った、各端子列の前記グランド端子の前記本体部分の正射影と、前記第２の方向に沿った、隣接する端子列の前記グランド端子の前記本体部分の正射影とは、部分的に重なり合っている、請求項２又は３に記載の電気コネクタ。
【請求項５】
各差分信号端子対の前記２つの信号端子間の中心線は、前記第２の方向において隣接する端子列における、前記対応するグランド端子の中心線と位置合わせされている、請求項４に記載の電気コネクタ。
【請求項６】
前記端子列の前記グランド端子の前記テール部分、及び前記差分信号端子対の前記テール部分は、同じ方向に向かって曲がっている、請求項５に記載の電気コネクタ。
【請求項７】
各差分信号端子対の各信号端子の前記本体部分は、各信号端子の前記テール部分に近接した保持セグメントと、該保持セグメントに隣接しており、かつ該保持セグメントに対して幅狭になった幅狭セグメントと、を有し、前記保持セグメントの両側には、前記絶縁ハウジングに干渉する複数の保持突出部が形成されている、請求項２又は３に記載の電気コネクタ。
【請求項８】
各信号端子の前記本体部分は、前記幅狭セグメントが形成されるように、少なくとも各信号端子の前記外側反対側部から内側へ凹んでいる、請求項７に記載の電気コネクタ。
【請求項９】
各差分信号端子対の各信号端子の前記本体部分は、前記幅狭セグメントが形成されるように、各信号端子の前記外側反対側部から内側へ凹んでおり、かつ、前記２つの信号端子の前記弾性接触部分間の間隔と、前記２つの信号端子の前記本体部分間の間隔とは、前記内向き側部において、実質的に同じに維持されている、請求項８に記載の電気コネクタ。
【請求項１０】
各グランド端子の前記本体部分は、各グランド端子の前記テール部分に近接した保持セグメントと、各グランド端子の前記保持セグメントに隣接しており、かつ各グランド端子の前記保持セグメントに対して幅狭になった幅狭セグメントと、を有し、前記保持セグメントの両側には、前記絶縁ハウジングに干渉する複数の保持突出部が形成されている、請求項８に記載の電気コネクタ。
【請求項１１】
前記グランド端子の前記幅狭セグメントは、前記グランド端子の前記本体部分の両側を互いに向かって内側へ凹ませることにより形成されており、各信号端子の前記幅狭セグメントは、各信号端子の前記本体部分の両側を互いに向かって内側へ凹ませることにより形成されている、請求項１０に記載の電気コネクタ。
【請求項１２】
前記絶縁ハウジングは、底壁を有し、該底壁は、第１の側部と、第２の側部と、を有し、前記第１の側部及び前記第２の側部は、前記第１の方向に対して平行であり、かつ両端に位置しており、前記絶縁ハウジングは、複数の突出バーを更に有し、該複数の突出バーは、互いに対して平行であり、互いに離間しており、前記底壁から突出しており、前記第１の側部と前記第２の側部との間に位置しており、前記第１の方向に沿って延びており、かつ、それぞれ細長形状を呈しており、前記底壁及び前記突出バーは一緒になって複数の挿込スロットを画定し、前記突出バー及び前記挿込スロットは、前記第２の方向に沿って、交互に配置されており、前記絶縁ハウジングは、前記グランド端子をそれぞれ受容する複数のグランド端子受容溝と、前記信号端子をそれぞれ受容する複数の信号端子受容溝と、を更に有し、前記グランド端子受容溝及び前記信号端子受容溝は、前記挿込スロットに隣接した前記突出バーの壁面に設けられている、請求項１〜３のいずれか１項に記載の電気コネクタ。
【請求項１３】
前記絶縁ハウジングは、位置的に前記弾性接触部分にそれぞれ対応する、複数の収容凹部を更に有し、各差分信号端子対に対応する各２つの収容凹部は、各信号端子の前記弾性接触部分のテール端部にそれぞれ対応して接近した、２つの部分で互いに連通している、請求項１２に記載の電気コネクタ。
【請求項１４】
各差分信号端子対の各信号端子の前記本体部分は、各信号端子の前記弾性接触部分に近接し、かつ各信号端子の前記外側反対側部から突出している、止めブロックを有し、前記絶縁ハウジングは、各信号端子受容溝に対応する前記絶縁ハウジングの領域において、スリット状の細溝部分が形成されており、該細溝部分は、各信号端子の前記本体部分が前記第２の方向に動かないように前記止めブロックとラッチ係合している、請求項１２に記載の電気コネクタ。
【請求項１５】
前記絶縁ハウジングは、前記第１の側部に隣接しており、かつ前記第１の方向における両端に位置している、２つの位置決め溝と、前記底壁から突出しており、前記第２の側部に隣接しており、前記第１の方向に沿って延びており、かつ細長形状を呈している側壁と、前記底壁から突出しており、かつ前記側壁の両端からＬ字状にそれぞれ延びている、２つの位置決めキーと、を更に有し、該２つの位置決めキーは、同一構造の他の電気コネクタの前記２つの位置決め溝とそれぞれラッチ係合する、請求項１２に記載の電気コネクタ。
【請求項１６】
同一構造を有し、互いに係合される２つの電気コネクタを含む、電気コネクタアセンブリであって、各電気コネクタは、
絶縁ハウジングと、
該絶縁ハウジングに配置された複数の端子列であって、各端子列は、第１の方向に沿って配置された、複数のグランド端子及び複数の差分信号端子対を含み、前記グランド端子及び前記差分信号端子対は、各端子列において交互に配置されており、前記端子列は、前記第１の方向に対して垂直な第２の方向に沿って配置され、かつ互いに離間している、複数の端子列と、を含み、
各グランド端子は、本体部分と、２つの弾性接触部分と、を有し、前記２つの弾性接触部分は、前記本体部分から延びており、かつ互いに離間しており、
各差分信号端子対は、２つの信号端子からなり、互いに横並びに配置された、各差分信号端子対の前記２つの信号端子の隣接する側部は、各信号端子の内向き側部を画定し、各信号端子の前記内向き側部と反対側の側部は、外側反対側部を画定し、各信号端子は、本体部分と、該本体部分から延びた弾性接触部分と、を有し、前記第１の方向における、各差分信号端子対の２つの本体部分の合計幅は、前記第１の方向における、各グランド端子の前記本体部分の幅よりも狭く、前記第２の方向に沿った、隣接する端子列における、各差分信号端子対の前記２つの本体部分の正射影は、隣接する端子列において対応する１つのグランド端子の前記本体部分の幅が占める範囲内に位置しており、前記第１の方向における、各差分信号端子対の前記２つの弾性接触部分の合計幅は、前記第１の方向における、各グランド端子の前記２つの弾性接触部分の合計幅よりも狭く、前記第２の方向に沿った、隣接する端子列における、各差分信号端子対の前記２つの弾性接触部分の正射影は、隣接する端子列において対応する１つのグランド端子の前記２つの弾性接触部分の合計幅が占める範囲内に位置している、電気コネクタアセンブリ。
【請求項１７】
前記２つの電気コネクタが互いに係合されたとき、係合されたグランド端子では、前記係合されたグランド端子の２つの弾性接触部分の各々が互いに係合させられ、係合された２つの弾性接触部分の各々は、２つの接触箇所を形成し、係合された信号端子では、前記係合された信号端子の２つの弾性接触部分が互いに係合させられて、２つの接触箇所を形成する、請求項１６に記載の電気コネクタアセンブリ。
【請求項１８】
各電気コネクタの各グランド端子は、各グランド端子の前記本体部分から延びており、かつ互いに離間した２つのテール部分を更に有し、各グランド端子の前記２つのテール部分及び前記２つの弾性接触部分は、各グランド端子の前記本体部分の対向する両側からそれぞれ延びており、各差分信号端子対の各信号端子は、各信号端子の前記本体部分から延びたテール部分を更に有し、各信号端子の前記テール部分及び前記弾性接触部分は、各信号端子の前記本体部分の対向する両側からそれぞれ延びており、前記第１の方向における、各差分信号端子対の２つのテール部分の合計幅は、前記第１の方向における、各グランド端子の前記２つのテール部分の合計幅よりも狭く、前記第２の方向に沿った、隣接する端子列における、各差分信号端子対の前記２つのテール部分の正射影は、隣接する端子列において対応する１つのグランド端子の前記２つのテール部分の合計幅が占める範囲内に位置している、請求項１７に記載の電気コネクタアセンブリ。
【請求項１９】
各差分信号端子対の各信号端子の前記弾性接触部分の中心線は、各差分信号端子対の各信号端子の前記本体部分の中心線に対して、前記内向き側部の方向にずれている、請求項１８に記載の電気コネクタアセンブリ。
【請求項２０】
前記第２の方向に沿った、各端子列の前記グランド端子の前記本体部分の正射影と、前記第２の方向に沿った、隣接する端子列の前記グランド端子の前記本体部分の正射影とは、部分的に重なり合っている、請求項１８又は１９に記載の電気コネクタアセンブリ。
【請求項２１】
各差分信号端子対の前記２つの信号端子間の中心線は、前記第２の方向において隣接する端子列における、前記対応するグランド端子の中心線と位置合わせされている、請求項２０に記載の電気コネクタアセンブリ。
【請求項２２】
各電気コネクタにおける前記端子列の前記グランド端子の前記テール部分、及び前記差分信号端子対の前記テール部分は、同じ方向に向かって曲がっている、請求項２１に記載の電気コネクタアセンブリ。
【請求項２３】
各電気コネクタの各差分信号端子対の各信号端子の前記本体部分は、各信号端子の前記テール部分に近接した保持セグメントと、該保持セグメントに隣接しており、かつ該保持セグメントに対して幅狭になった幅狭セグメントと、を有し、前記保持セグメントの両側には、前記絶縁ハウジングに干渉する複数の保持突出部が形成されている、請求項１８又は１９に記載の電気コネクタアセンブリ。
【請求項２４】
各信号端子の前記本体部分は、前記幅狭セグメントが形成されるように、少なくとも各信号端子の前記外側反対側部から内側へ凹んでいる、請求項２３に記載の電気コネクタアセンブリ。
【請求項２５】
各差分信号端子対の各信号端子の前記本体部分は、前記幅狭セグメントが形成されるように、各信号端子の前記外側反対側部から内側へ凹んでおり、かつ、前記２つの信号端子の前記弾性接触部分間の間隔と、前記２つの信号端子の前記本体部分間の間隔とは、前記内向き側部において、実質的に同じに維持されている、請求項２４に記載の電気コネクタアセンブリ。
【請求項２６】
各電気コネクタの各グランド端子の前記本体部分は、各グランド端子の前記テール部分に近接した保持セグメントと、各グランド端子の前記保持セグメントに隣接しており、かつ各グランド端子の前記保持セグメントに対して幅狭になった幅狭セグメントと、を有し、前記保持セグメントの両側には、前記絶縁ハウジングに干渉する複数の保持突出部が形成されている、請求項２４に記載の電気コネクタアセンブリ。
【請求項２７】
前記グランド端子の前記幅狭セグメントは、前記グランド端子の前記本体部分の両側を互いに向かって内側へ凹ませることにより形成されており、各信号端子の前記幅狭セグメントは、各信号端子の前記本体部分の両側を互いに向かって内側へ凹ませることにより形成されている、請求項２６に記載の電気コネクタアセンブリ。
【請求項２８】
各電気コネクタの前記絶縁ハウジングは、底壁を有し、該底壁は、第１の側部と、第２の側部と、を有し、前記第１の側部及び前記第２の側部は、前記第１の方向に対して平行であり、かつ両端に位置しており、前記絶縁ハウジングは、複数の突出バーを更に有し、該複数の突出バーは、互いに対して平行であり、互いに離間しており、前記底壁から突出しており、前記第１の側部と前記第２の側部との間に位置しており、前記第１の方向に沿って延びており、かつ、それぞれ細長形状を呈しており、前記底壁及び前記突出バーは一緒になって複数の挿込スロットを画定し、前記突出バー及び前記挿込スロットは、前記第２の方向に沿って、交互に配置されており、前記絶縁ハウジングは、前記グランド端子をそれぞれ受容する複数のグランド端子受容溝と、前記信号端子をそれぞれ受容する複数の信号端子受容溝と、を更に有し、前記グランド端子受容溝及び前記信号端子受容溝は、前記挿込スロットに隣接した前記突出バーの壁面に設けられている、請求項１６〜１９のいずれか１項に記載の電気コネクタアセンブリ。
【請求項２９】
各電気コネクタの前記絶縁ハウジングは、位置的に前記弾性接触部分にそれぞれ対応する、複数の収容凹部を更に有し、各差分信号端子対に対応する各２つの収容凹部は、各信号端子の前記弾性接触部分のテール端部にそれぞれ対応して接近した、２つの部分で互いに連通している、請求項２８に記載の電気コネクタアセンブリ。
【請求項３０】
各差分信号端子対の各信号端子の前記本体部分は、各信号端子の前記弾性接触部分に近接し、かつ各信号端子の前記外側反対側部から突出している、止めブロックを有し、前記絶縁ハウジングは、各信号端子受容溝に対応する前記絶縁ハウジングの領域において、スリット状の細溝部分が形成されており、該細溝部分は、各信号端子の前記本体部分が前記第２の方向に動かないように前記止めブロックとラッチ係合している、請求項２８に記載の電気コネクタアセンブリ。
【請求項３１】
各電気コネクタの前記絶縁ハウジングは、前記第１の側部に隣接しており、かつ前記第１の方向における両端に位置している、２つの位置決め溝と、前記底壁から突出しており、前記第２の側部に隣接しており、前記第１の方向に沿って延びており、かつ細長形状を呈している側壁と、前記底壁から突出しており、かつ前記側壁の両端からＬ字状にそれぞれ延びている、２つの位置決めキーと、を更に有し、該２つの位置決めキーは、他方の電気コネクタの前記２つの位置決め溝とそれぞれラッチ係合させるために用いられている、請求項２８に記載の電気コネクタアセンブリ。
【請求項３２】
前記２つの電気コネクタは、メザニン型電気コネクタである、請求項１６に記載の電気コネクタアセンブリ。
【請求項３３】
電気コネクタであって、
絶縁ハウジングと、
該絶縁ハウジングに配置された複数の端子列であって、各端子列は、第１の方向に沿って配置された、複数のグランド端子及び複数の差分信号端子対を含み、前記グランド端子及び前記差分信号端子対は、各端子列において交互に配置されている、複数の端子列と、を含む、電気コネクタであって、
各グランド端子は、互いに離間している２つのテール部分を有し、各差分信号端子対の各信号端子は、テール部分を有し、前記第１の方向における、各差分信号端子対の前記２つのテール部分の合計幅は、前記第１の方向における、各グランド端子の前記２つのテール部分の合計幅よりも狭く、
前記端子列は、前記第１の方向に対して垂直な第２の方向に沿って配置されており、かつ互いに離間しており、前記端子列の端子の配置パターンにおいて、隣接する各２つの端子列のうちの一方の端子列の端子は、１つのグランド端子、１つの差分信号端子対、そして１つのグランド端子となるように交互に配置されており、これにより、１つのグランド端子の２つのテール部分、２つの信号端子の２つのテール部分、１つのグランド端子の２つのテール部分が前記第１の方向に沿って交互に配置されており、隣接する各２つの端子列のうちの他方の端子列の端子は、１つの差分信号端子対、１つのグランド端子、そして１つの差分信号端子対となるように交互に配置されており、これにより、２つの信号端子の２つのテール部分、１つのグランド端子の２つのテール部分、２つの信号端子の２つのテール部分が前記第１の方向に沿って交互に配置されており、隣接する各２つの端子列のうちの一方の端子列の前記差分信号端子対は、前記第２の方向における位置的に、隣接する各２つの端子列のうちの他方の端子列の前記グランド端子に対応しており、前記第２の方向に沿った、隣接する各２つの端子列のうちの一方の端子列の各差分信号端子対の２つのテール部分の正射影は、隣接する各２つの端子列のうちの他方の端子列において対応する１つのグランド端子の２つのテール部分の合計幅が占める範囲内に位置している、電気コネクタ。
【発明の詳細な説明】
【技術分野】
【０００１】
本開示は、電気コネクタに関し、具体的には、高速信号伝送用の電気コネクタ、及び電気コネクタアセンブリに関する。
【背景技術】
【０００２】
近年のデジタル情報科学技術の進歩により、データ伝送量は増加している。データ伝送では、各種のポートを接続するために電気コネクタが必要な場合が多いことから、電気コネクタの信号伝送速度及び品質は、データ伝送の速度及び安定性に大きく影響することとなる。
【０００３】
既存の電気コネクタとして、例えば、日本の特公平５−７８２９号公報では、係合させた２つの端子の接触部分により、一方の端子の接触部分が他方の端子の固定部分と接触可能となっており、これら２つの端子間で２つの接触箇所を形成することにより、端子の接触安定性を向上させた、係合端子構造が開示されている。例えば、米国特許第７，７９８，８５２（Ｂ２）号は、複数の端子列を含む、メザニン型の電気コネクタを開示しているが、ここでは、各端子列のグランド端子と差分信号端子対は、交互に配列されており、各端子列の差分信号端子対は、位置的に、隣接する端子列のグランド端子に対応しており、グランド端子の本体部分は、グランド端子の本体部分の幅が、グランド端子の本体部分と横並びに配置されている差分信号端子対の幅よりも広くなるように、幅広であり、これによって、各差分信号端子対に対して個別のグランド遮蔽が形成されている。
【０００４】
信号伝送速度を更に増大させるためには、信号伝送におけるクロストークを更に減らすこと、端子のインピーダンスを更に小さくすること、及び信号端子間の遮蔽性を更に高めることが必要である。しかしながら、既存の電気コネクタは依然として十分なものではない。
【発明の概要】
【０００５】
それ故、本開示の目的の１つは、信号伝送速度及びシグナルインテグリティを向上させ得る電気コネクタを提供することである。
【０００６】
それ故、本開示の他の目的は、電気コネクタアセンブリを提供することである。
【０００７】
したがって、いくつかの実施形態では、本開示の電気コネクタは、絶縁ハウジングと、絶縁ハウジングに配置された複数の端子列と、を含む。各端子列は、第１の方向に沿って配置された、複数のグランド端子及び複数の差分信号端子対を含み、グランド端子及び差分信号端子対は、各端子列において交互に配置されており、端子列は、第１の方向に対して垂直な第２の方向に沿って配置され、かつ互いに離間している。各グランド端子は、本体部分と、２つの弾性接触部分と、を有し、これら２つの弾性接触部分は、本体部分から延びており、かつ互いに離間している。各差分信号端子対は、２つの信号端子からなり、互いに横並びに配置された、各差分信号端子対の２つの信号端子の隣接する側部は、各信号端子の内向き側部を画定し、各信号端子の内向き側部と反対側の側部は、外側反対側部を画定し、各信号端子は、本体部分と、本体部分から延びた弾性接触部分と、を有し、第１の方向における、各差分信号端子対の２つの本体部分の合計幅は、第１の方向における、各グランド端子の本体部分の幅よりも狭く、第２の方向に沿った、隣接する端子列における、各差分信号端子対の２つの本体部分の正射影は、隣接する端子列において対応する１つのグランド端子の本体部分の幅が占める範囲内に位置しており、第１の方向における、各差分信号端子対の２つの弾性接触部分の合計幅は、第１の方向における、各グランド端子の２つの弾性接触部分の合計幅よりも狭く、第２の方向に沿った、隣接する端子列における、各差分信号端子対の２つの弾性接触部分の正射影は、隣接する端子列において対応する１つのグランド端子の２つの弾性接触部分の合計幅が占める範囲内に位置している。
【０００８】
いくつかの実施形態では、各グランド端子は、各グランド端子の本体部分から延びており、かつ互いに離間した２つのテール部分を更に有し、各グランド端子のこれら２つのテール部分及び２つの弾性接触部分は、各グランド端子の本体部分の対向する両側からそれぞれ延びており、各差分信号端子対の各信号端子は、各信号端子の本体部分から延びたテール部分を更に有し、各信号端子のテール部分及び弾性接触部分は、各信号端子の本体部分の対向する両側からそれぞれ延びており、第１の方向における、各差分信号端子対の２つのテール部分の合計幅は、第１の方向における、各グランド端子の２つのテール部分の合計幅よりも狭く、第２の方向に沿った、隣接する端子列における、各差分信号端子対の２つのテール部分の正射影は、隣接する端子列において対応する１つのグランド端子の２つのテール部分の合計幅が占める範囲内に位置している。
【０００９】
いくつかの実施形態では、各差分信号端子対の各信号端子の弾性接触部分の中心線は、各差分信号端子対の各信号端子の本体部分の中心線に対して、内向き側部の方向にずれている。
【００１０】
いくつかの実施形態では、第２の方向に沿った、各端子列のグランド端子の本体部分の正射影と、第２の方向に沿った、隣接する端子列のグランド端子の本体部分の正射影とは、部分的に重なり合っている。
【００１１】
いくつかの実施形態では、各差分信号端子対の２つの信号端子間の中心線は、第２の方向において隣接する端子列における、対応するグランド端子の中心線と位置合わせされている。
【００１２】
いくつかの実施形態では、端子列のグランド端子のテール部分、及び差分信号端子対のテール部分は、同じ方向に向かって曲がっている。
【００１３】
いくつかの実施形態では、各差分信号端子対の各信号端子の本体部分は、各信号端子のテール部分に近接した保持セグメントと、保持セグメントに隣接しており、かつ保持セグメントに対して幅狭になった幅狭セグメントと、を有し、保持セグメントの両側には、絶縁ハウジングに干渉する複数の保持突出部が形成されている。
【００１４】
いくつかの実施形態では、各信号端子の本体部分は、幅狭セグメントが形成されるように、少なくとも各信号端子の外側反対側部から内側へ凹んでいる。
【００１５】
いくつかの実施形態では、各差分信号端子対の各信号端子の本体部分は、幅狭セグメントが形成されるように、各信号端子の外側反対側部から内側へ凹んでおり、かつ、２つの信号端子の弾性接触部分間の間隔と、２つの信号端子の本体部分間の間隔とは、内向き側部において、実質的に同じに維持されている。
【００１６】
いくつかの実施形態では、各グランド端子の本体部分は、各グランド端子のテール部分に近接した保持セグメントと、各グランド端子の保持セグメントに隣接しており、かつ各グランド端子の保持セグメントに対して幅狭になった幅狭セグメントと、を有し、保持セグメントの両側には、絶縁ハウジングに干渉する複数の保持突出部が形成されている。
【００１７】
いくつかの実施形態では、グランド端子の幅狭セグメントは、グランド端子の本体部分の両側を互いに向かって内側へ凹ませることにより形成されており、各信号端子の幅狭セグメントは、各信号端子の本体部分の両側部を互いに向かって内側へ凹ませることにより形成されている。
【００１８】
いくつかの実施形態では、絶縁ハウジングは、底壁を有し、底壁は、第１の側部と、第２の側部と、を有し、第１の側部及び第２の側部は、第１の方向に対して平行であり、かつ両端に位置しており、絶縁ハウジングは、複数の突出バーを更に有し、複数の突出バーは、互いに対して平行であり、互いに離間しており、底壁から突出しており、第１の側部と第２の側部との間に位置しており、第１の方向に沿って延びており、かつ、それぞれ細長形状を呈しており、底壁及び突出バーは一緒になって複数の挿込スロットを画定し、突出バー及び挿込スロットは、第２の方向に沿って、交互に配置されており、絶縁ハウジングは、グランド端子をそれぞれ受容する複数のグランド端子受容溝と、信号端子をそれぞれ受容する複数の信号端子受容溝と、を更に有し、グランド端子受容溝及び信号端子受容溝は、挿込スロットに隣接した突出バーの壁面に設けられている。
【００１９】
いくつかの実施形態では、絶縁ハウジングは、位置的に弾性接触部分にそれぞれ対応する、複数の収容凹部を更に有し、各差分信号端子対に対応する各２つの収容凹部は、各信号端子の弾性接触部分のテール端部にそれぞれ対応して接近した、２つの部分で互いに連通している。
【００２０】
いくつかの実施形態では、各差分信号端子対の各信号端子の本体部分は、各信号端子の弾性接触部分に近接し、かつ各信号端子の外側反対側部から突出している、止めブロックを有し、絶縁ハウジングは、各信号端子受容溝に対応する絶縁ハウジングの領域において、止めブロックとラッチ係合する、スリット状の細溝部分が形成されており、このラッチ係合は、各信号端子の本体部分が第２の方向に動くことがないようにする。
【００２１】
いくつかの実施形態では、絶縁ハウジングは、第１の側部に隣接しており、かつ第１の方向における両端に位置している、２つの位置決め溝と、底壁から突出しており、第２の側部に隣接しており、第１の方向に沿って延びており、かつ細長形状を呈している側壁と、底壁から突出しており、かつ側壁の両端からＬ字状にそれぞれ延びている、２つの位置決めキーと、を更に有し、これら２つの位置決めキーは、同一構造の他の電気コネクタの２つの位置決め溝とそれぞれラッチ係合する。
【００２２】
したがって、いくつかの実施形態では、本開示の電気コネクタアセンブリは、同一構造を有し、かつ互いに係合される２つの電気コネクタを含み、各電気コネクタは、絶縁ハウジングと、絶縁ハウジングに配置された複数の端子列と、を含む。各端子列は、第１の方向に沿って配置された、複数のグランド端子及び複数の差分信号端子対を含み、グランド端子及び差分信号端子対は、各端子列において交互に配置されており、端子列は、第１の方向に対して垂直な第２の方向に沿って配置され、かつ互いに離間している。各グランド端子は、本体部分と、２つの弾性接触部分と、を有し、これら２つの弾性接触部分は、本体部分から延びており、かつ互いに離間している。各差分信号端子対は、２つの信号端子からなり、互いに横並びに配置された、各差分信号端子対の２つの信号端子の隣接する側部は、各信号端子の内向き側部を画定し、各信号端子の内向き側部と反対側の側部は、外側反対側部を画定し、各信号端子は、本体部分と、本体部分から延びた弾性接触部分と、を有し、第１の方向における、各差分信号端子対の２つの本体部分の合計幅は、第１の方向における、各グランド端子の本体部分の幅よりも狭く、第２の方向に沿った、隣接する端子列における、各差分信号端子対の２つの本体部分の正射影は、隣接する端子列において対応する１つのグランド端子の本体部分の幅が占める範囲内に位置している。第１の方向における、各差分信号端子対の２つの弾性接触部分の合計幅は、第１の方向における、各グランド端子の２つの弾性接触部分の合計幅よりも狭く、第２の方向に沿った、隣接する端子列における、各差分信号端子対の２つの弾性接触部分の正射影は、隣接する端子列において対応する１つのグランド端子の２つの弾性接触部分の合計幅が占める範囲内に位置している。
【００２３】
いくつかの実施形態では、２つの電気コネクタが互いに係合されたとき、係合されたグランド端子では、係合されたグランド端子の２つの弾性接触部分の各々が互いに係合させられ、係合された２つの弾性接触部分の各々は、２つの接触箇所を形成し、係合された信号端子では、係合された信号端子の２つの弾性接触部分が互いに係合させられて、２つの接触箇所を形成する。
【００２４】
いくつかの実施形態では、各電気コネクタの各グランド端子は、各グランド端子の本体部分から延びており、かつ互いに離間した２つのテール部分を更に有し、各グランド端子のこれら２つのテール部分及び２つの弾性接触部分は、各グランド端子の本体部分の対向する両側部からそれぞれ延びており、各差分信号端子対の各信号端子は、各信号端子の本体部分から延びたテール部分を更に有し、各信号端子のテール部分及び弾性接触部分は、各信号端子の本体部分の対向する両側からそれぞれ延びており、第１の方向における、各差分信号端子対の２つのテール部分の合計幅は、第１の方向における、各グランド端子の２つのテール部分の合計幅よりも狭く、第２の方向に沿った、隣接する端子列における、各差分信号端子対の２つのテール部分の正射影は、隣接する端子列において対応する１つのグランド端子の２つのテール部分の合計幅が占める範囲内に位置している。
【００２５】
いくつかの実施形態では、各差分信号端子対の各信号端子の弾性接触部分の中心線は、各差分信号端子対の各信号端子の本体部分の中心線に対して、内向き側部の方向にずれている。
【００２６】
いくつかの実施形態では、第２の方向に沿った、各端子列のグランド端子の本体部分の正射影と、第２の方向に沿った、隣接する端子列のグランド端子の本体部分の正射影とは、部分的に重なり合っている。
【００２７】
いくつかの実施形態では、各差分信号端子対の２つの信号端子間の中心線は、第２の方向において隣接する端子列における、対応するグランド端子の中心線と位置合わせされている。
【００２８】
いくつかの実施形態では、各電気コネクタにおける端子列のグランド端子のテール部分、及び差分信号端子対のテール部分は、同じ方向に向かって曲がっている。
【００２９】
いくつかの実施形態では、各電気コネクタの各差分信号端子対の各信号端子の本体部分は、各信号端子のテール部分に近接した保持セグメントと、保持セグメントに隣接しており、かつ保持セグメントに対して幅狭になった幅狭セグメントと、を有し、保持セグメントの両側には、絶縁ハウジングに干渉する複数の保持突出部が形成されている。
【００３０】
いくつかの実施形態では、各信号端子の本体部分は、幅狭セグメントが形成されるように、少なくとも各信号端子の外側反対側部から内側へ凹んでいる。
【００３１】
いくつかの実施形態では、各差分信号端子対の各信号端子の本体部分は、幅狭セグメントが形成されるように、各信号端子の外側反対側部から内側へ凹んでおり、かつ、２つの信号端子の弾性接触部分間の間隔と、２つの信号端子の本体部分間の間隔とは、内向き側部において、実質的に同じに維持されている。
【００３２】
いくつかの実施形態では、各電気コネクタの各グランド端子の本体部分は、各グランド端子のテール部分に近接した保持セグメントと、各グランド端子の保持セグメントに隣接しており、かつ各グランド端子の保持セグメントに対して幅狭になった幅狭セグメントと、を有し、保持セグメントの両側には、絶縁ハウジングに干渉する複数の保持突出部が形成されている。
【００３３】
いくつかの実施形態では、グランド端子の幅狭セグメントは、グランド端子の本体部分の両側を互いに向かって内側へ凹ませることにより形成されており、各信号端子の幅狭セグメントは、各信号端子の本体部分の両側を互いに向かって内側へ凹ませることにより形成されている。
【００３４】
いくつかの実施形態では、各電気コネクタの絶縁ハウジングは、底壁を有し、底壁は、第１の側部と、第２の側部と、を有し、第１の側部及び第２の側部は、第１の方向に対して平行であり、かつ両端に位置しており、絶縁ハウジングは、複数の突出バーを更に有し、複数の突出バーは、互いに対して平行であり、互いに離間しており、底壁から突出しており、第１の側部と第２の側部との間に位置しており、第１の方向に沿って延びており、かつ、それぞれ細長形状を呈しており、底壁及び突出バーは一緒になって複数の挿込スロットを画定し、突出バー及び挿込スロットは、第２の方向に沿って、交互に配置されており、絶縁ハウジングは、グランド端子をそれぞれ受容する複数のグランド端子受容溝と、信号端子をそれぞれ受容する複数の信号端子受容溝と、を更に有し、グランド端子受容溝及び信号端子受容溝は、挿込スロットに隣接した突出バーの壁面に設けられている。
【００３５】
いくつかの実施形態では、各電気コネクタの絶縁ハウジングは、位置的に弾性接触部分にそれぞれ対応する、複数の収容凹部を更に有し、各差分信号端子対に対応する各２つの収容凹部は、各信号端子の弾性接触部分のテール端部にそれぞれ対応して接近した、２つの部分で互いに連通している。
【００３６】
いくつかの実施形態では、各差分信号端子対の各信号端子の本体部分は、各信号端子の弾性接触部分に近接し、かつ各信号端子の外側反対側部から突出している、止めブロックを有し、絶縁ハウジングは、各信号端子受容溝に対応する絶縁ハウジングの領域において、止めブロックとラッチ係合する、スリット状の細溝部分が形成されており、このラッチ係合は、各信号端子の本体部分が第２の方向に動くことがないようにする。
【００３７】
いくつかの実施形態では、各電気コネクタの絶縁ハウジングは、第１の側部に隣接しており、かつ第１の方向における両端に位置している、２つの位置決め溝と、底壁から突出しており、第２の側部に隣接しており、第１の方向に沿って延びており、かつ細長形状を呈している側壁と、底壁から突出しており、かつ側壁の両端からＬ字状にそれぞれ延びている、２つの位置決めキーと、を更に有し、これら２つの位置決めキーは、他方の電気コネクタの２つの位置決め溝とそれぞれラッチ係合させるために用いられる。
【００３８】
いくつかの実施形態では、２つの電気コネクタは、メザニン型電気コネクタである。
【００３９】
したがって、いくつかの実施形態では、本開示の電気コネクタは、絶縁ハウジングと、絶縁ハウジングに配置された複数の端子列と、を含む。各端子列は、第１の方向に沿って配置された、複数のグランド端子及び複数の差分信号端子対を含み、グランド端子及び差分信号端子対は、各端子列において交互に配置されている。各グランド端子は、互いに離間している２つのテール部分を有し、各差分信号端子対の各信号端子は、テール部分を有し、第１の方向における、各差分信号端子対の２つのテール部分の合計幅は、第１の方向における、各グランド端子の２つのテール部分の合計幅よりも狭い。端子列は、第１の方向に対して垂直な第２の方向に沿って配置されており、かつ互いに離間しており、端子列の端子の配置パターンは、以下のようなものである。即ち、隣接する各２つの端子列のうちの一方の端子列の各端子は、１つのグランド端子、１つの差分信号端子対、そして１つのグランド端子となるように交互に配置されており、これにより、１つのグランド端子の２つのテール部分、２つの信号端子の２つのテール部分、１つのグランド端子の２つのテール部分が第１の方向に沿って交互に配置されており、隣接する各２つの端子列のうちの他方の端子列の各端子は、１つの差分信号端子対、１つのグランド端子、そして１つの差分信号端子対となるように交互に配置されており、これにより、２つの信号端子の２つのテール部分、１つのグランド端子の２つのテール部分、２つの信号端子の２つのテール部分が第１の方向に沿って交互に配置されており、隣接する各２つの端子列のうちの一方の端子列の差分信号端子対は、第２の方向における位置的に、隣接する各２つの端子列のうちの他方の端子列のグランド端子に対応しており、第２の方向に沿った、隣接する各２つの端子列のうちの一方の端子列の各差分信号端子対の２つのテール部分の正射影は、隣接する各２つの端子列のうちの他方の端子列において対応する１つのグランド端子の２つのテール部分の合計幅が占める範囲内に位置している。
【００４０】
本開示の効果は以下のとおりである。即ち、本開示のグランド端子及び信号端子の構造的デザイン、及びグランド端子及び差分信号端子対の配置パターンにより、各差分信号端子対に対して、より完全で総合的な遮蔽効果が形成され、クロストークが低減されるとともに、信号伝送速度が向上する。また、本開示によれば、端子のインピーダンスを減少させ、各差分信号端子対の２つの信号端子間での結合性を向上させることにより、シグナルインテグリティを増大させることができる。
【図面の簡単な説明】
【００４１】
本開示の他の特徴及び効果は、添付図面と組み合わせて、実施形態を通して明らかになるであろう。
【００４２】
【図１】本開示の電気コネクタアセンブリの第１の実施形態の側面図である。
【図２】第１の実施形態の斜視分解図である。
【図３】第１の実施形態の２つの電気コネクタのうちの一方の斜視図である。
【図４】第１の実施形態の電気コネクタの上面図である。
【図５】図４の部分拡大図である。
【図６】第１の実施形態の電気コネクタの斜視断面図である。
【図７】図６の部分拡大図である。
【図８】図７と同様の斜視分解図である。
【図９】図８の正面図である。
【図１０】底面側から見た第１の実施形態の電気コネクタの部分斜視図である。
【図１１】第１の実施形態の端子列の部分斜視図であり、ここでは、絶縁ハウジングは図示されていない。
【図１２】図１１の上面図である。
【図１３】図１１の底面図である。
【図１４】端子列が形成された後、かつ端子列を絶縁ハウジングに対して組み立てる前の、ストリップに接続された、第１の実施形態の端子列を示す部分平面図である。
【図１５】組み立てた状態にある、第１の実施形態の２つの電気コネクタの斜視断面図である。
【図１６】組み立てた状態にある、第１の実施形態の２つの電気コネクタの断面図である。
【図１７】組み立てた状態にある、第１の実施形態の２つの電気コネクタの、別角度から見た断面図である。
【図１８】図１７の部分拡大図である。
【図１９】本開示の電気コネクタアセンブリの第２の実施形態の部分的な斜視断面図である。
【図２０】図１９と同様の斜視分解図である。
【図２１】図２０の端子の正面図である。
【図２２】組み立てた状態にある、本開示の電気コネクタアセンブリの第３の実施形態の斜視図である。
【図２３】第３の実施形態の斜視分解図である。
【図２４】第３の実施形態の２つの電気コネクタのうちの一方の部分的な斜視断面図である。
【図２５】図２４と同様の斜視分解図である。
【図２６】図２５の端子の正面図である。
【図２７】図２６の差分信号端子対の拡大図である。
【図２８】図２４を別角度から見た図である。
【図２９】組み立てた状態にある、第３の実施形態の２つの電気コネクタの斜視断面図である。
【図３０】図２９の部分拡大図である。
【符号の説明】
【００４３】
参照番号は、以下のように表されている。
【００４４】
１００  電気コネクタ
１  絶縁ハウジング
１１  底壁
１１１  第１の側部
１１２  第２の側部
１１３  位置決め溝
１１４  当接ブロック
１１５  細溝部分
１３  側壁
１４  突出バー
１５  挿込スロット
１６  グランド端子受容溝
１７  信号端子受容溝
１８  収容凹部
１８１  間隔保持リブ
１９  位置決めキー
２  グランド端子
２１  本体部分
２１１  保持セグメント
２１１ａ  保持突出部
２１２  幅狭セグメント
２２  弾性接触部分
２３  テール部分
３  差分信号端子対
４  信号端子
４１  本体部分
４１１  保持セグメント
４１１ａ  保持突出部
４１２  幅狭セグメント
４１３  止めブロック
４２  弾性接触部分
４３  テール部分
５  はんだボール
６  回路基板
７  ストリップ
７１  ストリップ本体
７２  第１の接続セグメント
７３  第２の接続セグメント
７４  第３の接続セグメント
Ｇ  グランド信号
Ｓ  差分信号
Ｔ  端子列
Ｄ１  第１の方向
Ｄ２  第２の方向
Ｃ１  中心線
Ｃ２  中心線
Ｃ３  中心線
Ｃ４  中心線
ＨＢ１  幅
ＨＢ２  合計幅
ＨＣ１  合計幅
ＨＣ２  合計幅
ＨＴ１  合計幅
ＨＴ２  合計幅
【発明を実施するための形態】
【００４５】
本開示を詳細に説明する前に、以下の内容において、類似の要素は、同様の参照符号で示されることに留意されたい。
【００４６】
図１〜図３を参照すると、本開示の電気コネクタアセンブリの第１の実施形態は、同一構造であり、かつ互いに係合される２つの電気コネクタ１００を含み、各電気コネクタ１００は、絶縁ハウジング１と、絶縁ハウジング１に配置された複数の端子列Ｔと、を含む。
【００４７】
図３〜図５を参照すると、各電気コネクタ１００の絶縁ハウジング１は、底壁１１を有し、底壁１１は、第１の側部１１１と、第２の側部１１２と、を有し、第１の側部１１１及び第２の側部１１２は、第１の方向Ｄ１に対して平行であり、かつ両端に位置する。絶縁ハウジング１は、複数の突出バー１４を更に有し、複数の突出バー１４は、互いに対して平行であり、互いに離間しており、底壁１１から突出しており、第１の側部１１１と第２の側部１１２との間に位置しており、第１の方向Ｄ１に沿って延びており、かつ、それぞれ細長形状を呈しており、底壁１１及び突出バー１４は一緒になって複数の挿込スロット１５を画定し、突出バー１４及び挿込スロット１５は、第１の方向Ｄ１に対して垂直な第２の方向Ｄ２に沿って交互に配置されている。
【００４８】
各端子列Ｔは、第１の方向Ｄ１に沿って配置された複数のグランド端子２及び複数の差分信号端子対３を含み、各差分信号端子対３は、２つの信号端子４からなり、グランド端子２及び差分信号端子対３は、各端子列Ｔにおいて交互に配置されている。突出バー１４の壁面は、それぞれ１つの端子列Ｔが設けられた挿込スロット１５にそれぞれ隣接しており、これによって、端子列Ｔは、第２の方向Ｄ２に沿って配置され、かつ互いに離間している。
【００４９】
図６〜図９を参照すると、各グランド端子２は、本体部分２１と、本体部分２１から延びており、かつ互いに離間している２つの弾性接触部分２２と、本体部分２１から延びており、かつ互いに離間している２つのテール部分２３と、を有し、２つのテール部分２３及び２つの弾性接触部分２２は、本体部分２１の対向する両側からそれぞれ延びている。これらの図の向きを基準として、弾性接触部分２２は、本体部分２１から上方に延びており、テール部分２３は、本体部分２１から下方に延びている。本体部分２１は、テール部分２３に近接した保持セグメント２１１と、保持セグメント２１１に隣接しており、かつ保持セグメント２１１に対して幅狭になった幅狭セグメント２１２と、を有し、保持セグメント２１１の両側には、絶縁ハウジング１に干渉する複数の保持突出部２１１ａが形成されている。即ち、幅狭セグメント２１２は、保持セグメント２１１の上に位置しており、保持セグメント２１１は、幅狭セグメント２１２とテール部分２３との間に位置している。実施形態では、グランド端子２の幅狭セグメント２１２は、本体部分２１の両側を互いに向かって内側へ凹ませることにより形成されている。各信号端子４は、本体部分４１と、本体部分４１から延びている弾性接触部分４２と、本体部分４１から延びているテール部分４３と、を有し、テール部分４３及び弾性接触部分４２は、本体部分４１の対向する両側からそれぞれ延びている。各信号端子４の本体部分４１は、テール部分４３に近接した保持セグメント４１１と、保持セグメント４１１に隣接しており、かつ保持セグメント４１１に対して幅狭になった幅狭セグメント４１２と、を有し、保持セグメント４１１の両側には、絶縁ハウジング１に干渉する複数の保持突出部４１１ａが形成されている。同様に、信号端子４の弾性接触部分４２は、本体部分４１から上方に延びており、テール部分４３は、本体部分４１から下方に延びている。幅狭セグメント４１２は、保持セグメント４１１の上に位置しており、保持セグメント４１１は、幅狭セグメント４１２とテール部分４３との間に位置している。互いに横並びに配置された、各差分信号端子対３の２つの信号端子４の隣接する側部は、各信号端子４の内向き側部として画定され、内向き側部と反対側の各信号端子４の側部は、外側反対側部として画定されており、実施形態では、各差分信号端子対３の各信号端子４の本体部分４１は、各信号端子４の外側反対側部から内側へ凹んで幅狭セグメント４１２を形成しており、２つの信号端子４の弾性接触部分４２間の間隔と、２つの信号端子４の本体部分４１間の間隔とは、内向き側部において、実質的に同じに維持されている。グランド端子２の本体部分２１には、保持セグメント２１１の両側において保持突出部２１１ａが形成されているため、保持セグメント２１１の幅が比較的広く、これにより、インピーダンスが増大するが、インピーダンスは、幅狭セグメント２１２の幅を狭くすることによって小さくなり、これによって、保持セグメント２１１により増大されたインピーダンスを均衡させる。同様に、信号端子４の本体部分４１には、保持セグメント４１１の両側において保持突出部４１１ａが形成されているため、保持セグメント４１１の幅が比較的広く、これにより、インピーダンスが増大するが、インピーダンスは、幅狭セグメント４１２の幅を狭くすることによって小さくなり、これによって、保持セグメント４１１により増大されたインピーダンスを均衡させる。
【００５０】
絶縁ハウジング１は、グランド端子２をそれぞれ受容する複数のグランド端子受容溝１６と、信号端子４をそれぞれ受容する複数の信号端子受容溝１７と、位置的に弾性接触部分２２、４２にそれぞれ対応する複数の収容凹部１８と、を更に有し、グランド端子受容溝１６、信号端子受容溝１７及び収容凹部１８は、挿込スロット１５に隣接した突出バー１４の壁面に設けられており、各差分信号端子対３に対応する各２つの収容凹部１８は、各信号端子４の弾性接触部分４２のテール端部にそれぞれ対応して接近した、２つの部分で互いに連通している。即ち、各差分信号端子対３に対応する２つの収容凹部１８間の間隔保持リブ１８１の高さは、各信号端子４の弾性接触部分４２の高さよりも低く、２つの弾性接触部分４２のテール端部にそれぞれ接近している各差分信号端子対３の２つの弾性接触部分４２の２つの箇所は、間隔保持リブ１８１によって遮られることはなく、これにより、各差分信号端子対３の２つの信号端子間の結合性を高めることができ、シグナルインテグリティが増大する。グランド端子２がグランド端子受容溝１６に組み付けられる際、グランド端子２は、底壁１１側から下から上へとグランド端子受容溝１６内に挿し込まれ、グランド端子２の保持突出部２１１ａが、グランド端子受容溝１６を画定する溝壁に干渉して、グランド端子２が固定され、グランド端子２の本体部分２１の側面が、挿込スロット１５に面した溝壁の表面に当接する。同様に、信号端子４が信号端子受容溝１７に組み付けられる際、信号端子４は、底壁１１側から下から上へと信号端子受容溝１７内に挿し込まれ、信号端子４の保持突出部４１１ａが信号端子受容溝１７を画定する溝壁に接触して、信号端子４が固定され、信号端子４の本体部分４１の側面が、挿込スロット１５に面した溝壁の表面に当接する。
【００５１】
実施形態では、グランド端子２のテール部分２３は、本体部分２１の下端部から直角に曲がり、底壁１１の外側に延びて露出しており、テール部分２３は、はんだボール５（図１、図１７及び図１８参照）によって回路基板６（図１参照）にはんだ付けされている。同様に、信号端子４のテール部分４３は、本体部分４１の下端部から直角に曲がり、底壁１１の外側に延びて露出しており、これにより、はんだボール５によってはんだ付けされる。図１０及び図１７を参照すると、実施形態では、グランド端子２のテール部分２３及び差分信号端子対３のテール部分４３は、同じ方向に向かって曲がっている。変形実施形態では、これらのテール部分は、ニードルアイタイプの圧入脚部、スルーホールタイプのはんだ付け脚部及び表面はんだ付け脚部などの、他の構成を有していてもよい。
【００５２】
図１１〜図１３を参照すると、実施形態では、隣接する各２つの端子列Ｔのうちの一方の端子列Ｔの差分信号端子対３は、第２の方向Ｄ２における位置的に、隣接する各２つの端子列Ｔのうちの他方の端子列Ｔのグランド端子２に対応している。端子列の端子の配置パターンは、以下のようなものである。即ち、隣接する各２つの端子列Ｔのうちの一方の端子列Ｔの端子は、１つのグランド端子２、１つの差分信号端子対３、１つのグランド端子２．．．が交互に配置されるように配置されており、これにより、１つのグランド端子２の２つの弾性接触部分２２、２つの信号端子４の２つの弾性接触部分４２、１つのグランド端子２の２つの弾性接触部分２２．．．が第１の方向Ｄ１に沿って交互に配置され、かつ、１つのグランド端子２の２つのテール部分２３、２つの信号端子４の２つのテール部分４３、１つのグランド端子２の２つのテール部分２３．．．が第１の方向Ｄ１に沿って交互に配置され、その結果、グランド信号Ｇ及び差分信号Ｓの配置パターンが、Ｇ、Ｇ、Ｓ、Ｓ、Ｇ、Ｇ、．．．となり、隣接する各２つの端子列Ｔのうちの他方の端子列Ｔの端子は、１つの差分信号端子対３、１つのグランド端子２、１つの差分信号端子対３．．．が交互に配置されるように配置されており、これにより、２つの信号端子４の２つの弾性接触部分４２、１つのグランド端子２の２つの弾性接触部分２２、２つの信号端子４の２つの弾性接触部分４２．．．が第１の方向Ｄ１に沿って交互に配置され、かつ、２つの信号端子４の２つのテール部分４３、１つのグランド端子２の２つのテール部分２３、２つの信号端子４の２つのテール部分４３．．．が第１の方向Ｄ１に沿って交互に配置され、その結果、グランド信号Ｇ及び差分信号Ｓの配置パターンが、Ｓ、Ｓ、Ｇ、Ｇ、Ｓ、Ｓ、．．．となる。
【００５３】
実施形態では、第１の方向Ｄ１における、各差分信号端子対３の２つの本体部分４１の合計幅ＨＢ２は、第１の方向Ｄ１における、各グランド端子２の本体部分２１の幅ＨＢ１よりも狭く、２つの本体部分４１の合計幅ＨＢ２は、２つの本体部分４１の２つの外側反対側部間の距離であり、かつ２つの本体部分４１間の間隔を含み、第２の方向Ｄ２に沿って隣接する端子列Ｔにおける、各差分信号端子対３の２つの本体部分４１の正射影は、隣接する端子列Ｔにおいて対応する１つのグランド端子２の本体部分２１の幅ＨＢ１が占める範囲内に位置している。第１の方向Ｄ１における、各差分信号端子対３の２つの弾性接触部分４２の合計幅ＨＣ２は、第１の方向Ｄ１における、各グランド端子２の２つの弾性接触部分２２の合計幅ＨＣ１よりも狭い。同様に、２つの弾性接触部分４２の合計幅ＨＣ２は、２つの弾性接触部分４２の２つの外側反対側部間の距離であり、かつ２つの弾性接触部分４２間の間隔を含み、２つの弾性接触部分２２の合計幅ＨＣ１は、２つの弾性接触部分２２の２つの外側反対側部間の距離であり、かつ２つの弾性接触部分２２間の間隔を含み、第２の方向Ｄ２に沿った、隣接する端子列Ｔにおける各差分信号端子対３の２つの弾性接触部分４２の正射影は、隣接する端子列Ｔにおいて対応する１つのグランド端子２の２つの弾性接触部分２２の合計幅ＨＣ１が占める範囲内に位置している。第１の方向Ｄ１における、各差分信号端子対３の２つのテール部分４３の合計幅ＨＴ２は、第１の方向Ｄ１における、各グランド端子２の２つのテール部分２３の合計幅ＨＴ１よりも狭く、同様に、２つのテール部分４３の合計幅ＨＴ２は、２つのテール部分４３の２つの外側反対側部間の距離であり、かつ２つのテール部分４３間の間隔を含み、２つのテール部分２３の合計幅ＨＴ１は、２つのテール部分２３の２つの外側反対側部間の距離であり、かつ２つのテール部分２３間の間隔を含み、第２の方向Ｄ２に沿った、隣接する端子列Ｔにおける各差分信号端子対３の２つのテール部分４３の正射影は、隣接する端子列Ｔにおいて対応する１つのグランド端子２の２つのテール部分２３の合計幅ＨＴ１が占める範囲内に位置している。そのため、第２の方向Ｄ２に沿った、各差分信号端子対３の幅の正射影は、対応する１つのグランド端子２の幅が占める範囲内に位置している。一実施形態では、各差分信号端子対３の２つの信号端子間の中心線Ｃ２は、第２の方向Ｄ２において隣接する端子列Ｔにおける、対応するグランド端子２の中心線Ｃ１と位置合わせされている。一実施形態では、第２の方向Ｄ２に沿った、各端子列Ｔのグランド端子２の本体部分２１の正射影と、第２の方向Ｄ２に沿った、隣接する端子列Ｔのグランド端子２の本体部分２１の正射影とは、部分的に重なり合っている。グランド端子２の本体部分２１の幅ＨＢ１が、各差分信号端子対３の２つの本体部分４１の合計幅ＨＢ２よりも広いことから、グランド端子２が属するものと同じ端子列Ｔに位置している各２つの差分信号端子対３間の距離を大きくすることができ、また、対角方向に沿って隣接する端子列Ｔの差分信号端子対３間の距離を大きくすることができ、これにより、対角方向に沿って隣接する端子列Ｔの差分信号端子対３間のクロストークを抑制することができる。グランド端子２の、２つの弾性接触部分２２の合計幅ＨＣ１、本体部分２１の幅ＨＢ１及び２つのテール部分２３の合計幅ＨＴ１がそれぞれ、差分信号端子対３の、２つの本体部分４１の合計幅ＨＢ２、２つの弾性接触部分４２の合計幅ＨＣ２及び２つのテール部分４３の合計幅ＨＴ２よりも広い、即ち、グランド端子２の全幅が、差分信号端子対３の全幅よりも広いことから、同じ端子列Ｔにおける差分信号端子対３間の仮想シールドと、隣接する端子列Ｔにおける差分信号端子対３間の仮想シールドとを強化することができ、これにより、クロストークが低減される。更に、ほとんどの差分信号端子対３が、それぞれ、同じ端子列のグランド端子２と、隣接する端子列のグランド端子２とによって囲まれており、このことも、クロストークを低減させる仮想シールドを強化することができる。また、実施形態における、グランド端子２及び信号端子４のテール部分２３、４３の配置パターンは、回路基板６（図１参照）上のはんだ付けパッド（図示せず）の配置パターンに対応している。即ち、はんだ付けパッドの配置パターンは、各２つの隣接する端子列のうちの一方の端子列が、Ｇ、Ｇ、Ｓ、Ｓ、Ｇ、Ｇ．．．となっており、各２つの隣接する端子列のうちの他方の端子列が、Ｓ、Ｓ、Ｇ、Ｇ、Ｓ、Ｓ、．．．となっており、このような配置パターンにより、テール部分２３、４３がそれぞれ接続される回路基板６のはんだ付けパッド間のシールドが強化されて、クロストークを低減することができる。したがって、上述したグランド端子２及び信号端子４の構造的デザイン並びにグランド端子２及び差分信号端子対３の配置パターンにより、各差分信号端子対３に対して、より完全で総合的なシールド効果が形成され、クロストークを低減させるとともに、信号伝送速度を向上させることができる。
【００５４】
図１４を参照すると、実施形態では、各端子列Ｔは、ストリップ７の上に予め形成されており、各グランド端子２とストリップ本体７１との間に第１の接続セグメント７２が接続され、各差分信号端子対３とストリップ本体７１との間に第２の接続セグメント７３が接続され、各グランド端子２の本体部分２１の両側はそれぞれ、第３の接続セグメント７４を介して、隣接する１つの信号端子４の本体部分４１と接続されている。各端子列Ｔが絶縁ハウジング１に対して組み付け可能な状態になると、接続セグメント７２、７３、７４とグランド端子２及び信号端子４との間の接続部分が切断され、グランド端子２及び信号端子４は、対応するグランド端子受容溝１６及び対応する信号端子受容溝１７（図８参照）にそれぞれ挿し込まれ、これにより、端子列Ｔと絶縁ハウジング１との組み立てプロセスがより簡便になる。
【００５５】
図２、図４及び図１５を参照すると、各電気コネクタ１００の絶縁ハウジング１は、第１の側部１１１に隣接しており、かつ第１の方向Ｄ１における両端に位置している、２つの位置決め溝１１３と、底壁１１から突出しており、第２の側部１１２に隣接しており、第１の方向Ｄ１に沿って延びており、かつ細長形状を呈している側壁１３と、底壁１１から突出しており、かつ側壁１３の両端からＬ字状にそれぞれ延びている、２つの位置決めキー１９と、を更に有する。一方の電気コネクタ１００の２つの位置決めキー１９は、他方の電気コネクタ１００の２つの位置決め溝１１３とそれぞれラッチ係合されている。実施形態では、２つの電気コネクタ１００は、メザニン型の電気コネクタであり、上述の構造的デザインを用いれば、２つの電気コネクタ１００が互いに対して不適切に嵌合することを防ぐことができ、係合させた端子を適切に位置合わせすることができる。
【００５６】
図１６〜図１８を参照すると、２つの電気コネクタ１００が互いに係合されると、一方の電気コネクタ１００の突出バー１４が他方の電気コネクタ１００の挿込スロット１５に対応して挿し込まれるため、２つの電気コネクタ１００の対応するグランド端子２を互いに係合させ、２つの電気コネクタ１００の対応する信号端子４を互いに係合させることができる。また、係合されたグランド端子２では、２つの弾性接触部分２２の各々が互いに係合させられ、係合された２つの弾性接触部分２２の各々は、２つの接触箇所を形成し、２組の係合された弾性接触部分２２が全体として４つの接触箇所を形成する。係合された信号端子４では、２つの弾性接触部分４２が互いに係合させられ、２つの接触箇所を形成する。具体的には、実施形態では、係合された２つのグランド端子２のうちの一方のグランド端子２の弾性接触部分２２の各々は、係合された２つのグランド端子２のうちの他方のグランド端子２の１つの本体部分２１に接触して、接触箇所を形成し、グランド端子２の本体部分２１は、グランド端子受容溝１６（図８参照）を画定する溝壁に当接し、これによって、弾性接触部分２２に対して安定かつ確実な接触法線力を提供することができ、係合された２つのグランド端子２間には、全体として４つの接触箇所があり、これにより、係合されたグランド端子２が安定した電気的接続を維持することが保証される。同様に、実施形態では、係合された２つの信号端子４のうちの一方の信号端子４の弾性接触部分４２の各々は、係合された２つの信号端子４のうちの他方の信号端子４の本体部分４１に接触して、接触箇所を形成し、信号端子４の本体部分４１は、信号端子受容溝１７（図８参照）を画定する溝壁に当接し、これによって、弾性接触部分４２に対して安定かつ確実な接触法線力を提供することができ、係合された２つの信号端子４間には、全体として２つの接触箇所があり、これにより、係合された信号端子４が安定した電気的接続を維持することが保証される。
【００５７】
図１９〜図２１を参照すると、本開示の電気コネクタアセンブリの第２の実施形態は、第１の実施形態と実質的に同じである。しかしながら、第２の実施形態では、各信号端子４の幅狭セグメント４１２は、本体部分４１の両側を互いに向かって内側へ凹ませることにより形成されている。更に、第２の実施形態では、各差分信号端子対３に対応する、連通していない２つの収容凹部１８が実装されてもよい、即ち、２つの収容凹部１８間に完全な間隔保持リブ１８１が存在する。しかしながら、第１の実施形態において、２つの収容凹部１８が部分的に連通していることが好ましい。加えて、同じグランド端子２に対応する収容凹部１８はまた、グランド端子２の２つの弾性接触部分２２に同時に対応するように、より幅広の領域であってもよい。
【００５８】
図２２〜図２５を参照すると、本開示の電気コネクタアセンブリの第３の実施形態は、第１の実施形態と実質的に同じである。しかしながら、第３の実施形態における各電気コネクタ１００の高さは、より高くなっている、即ち、第３の実施形態における絶縁ハウジング１の高さは、第１の実施形態における絶縁ハウジング１の高さよりも高くなっており、グランド端子２の長さは、グランド端子２の長さよりも長くなっており、第３の実施形態における信号端子４の長さは、第１の実施形態における信号端子４の長さよりも長くなっている。更に、第３の実施形態では、絶縁ハウジング１の底壁１１は、より厚くなっており、グランド端子受容溝１６及び信号端子受容溝１７はそれぞれ、底壁１１を通過し、突出バー１４まで延びており、当接ブロック１１４は、各グランド端子受容溝１６に対応する壁面の領域において、対応する突出バー１４に面した底壁１１の壁面から突出して、弾性接触部分２２に近接したグランド端子２の本体部分２１の領域に当接し、これによって、グランド端子受容溝１６におけるグランド端子２の位置決めがより強固に行われ、グランド端子２が第２の方向Ｄ２に動かない。
【００５９】
図２６〜図２８を参照すると、第３の実施形態では、各差分信号端子対３の各信号端子４の本体部分４１は、弾性接触部分４２に近接し、かつ外側反対側部から突出している止めブロック４１３を更に有する。また、絶縁ハウジング１には、各信号端子受容溝１７に対応する絶縁ハウジング１の領域において、止めブロック４１３とラッチ係合するスリット状の細溝部分１１５が形成されており、このラッチ係合により、本体部分４１が第２の方向Ｄ２に動かず、信号端子受容溝１７における信号端子４の位置決めがより強固に行われる。更に、第３の実施形態では、各差分信号端子対３の各信号端子４の弾性接触部分４２の中心線Ｃ３は、本体部分４１の中心線Ｃ４に対して、内向き側部の方向にずれている。
【００６０】
図２４〜図２７を再度参照すると、第３の実施形態では、第１の実施形態と同様に、各差分信号端子対３の２つの弾性接触部分４２に対応する２つの収容凹部１８間の間隔保持リブ１８１の高さは、弾性接触部分４２の高さよりも低くなっており、２つの弾性接触部分４２のテール端部にそれぞれ接近している各差分信号端子対３の２つの弾性接触部分４２の２つの箇所は、間隔保持リブ１８１によって遮られず、各差分信号端子対３の２つの信号端子４の止めブロック４１３は、信号端子４の２つの外側反対側部にそれぞれ位置しており、２つの信号端子４が互いに対してより近接し得るように、２つの信号端子４の各弾性接触部分４２の中心線Ｃ３が本体部分４１の中心線Ｃ４に対して内向き側部に向かってずれると同時に、２つの信号端子４間の距離が小さくなり、これにより、各差分信号端子対３の２つの信号端子間の結合性が更に高まり、シグナルインテグリティが増大する。更に、第３の実施形態では、各信号端子４の幅狭セグメント４１２は、本体部分４１の両側を互いに向かって内側へ凹ませることにより形成され、幅狭セグメントは、インピーダンスを調整するためにも使用される。
【００６１】
図２９及び図３０を参照すると、第３の実施形態では、２つの電気コネクタ１００が互いに係合されたとき、２つの絶縁ハウジング１の係合関係、端子２間の係合関係及び端子４間の係合関係は、第１の実施形態と同じであるため、本明細書において、詳細な説明は省略する。
【００６２】
しかしながら、上の説明は、本開示の実施形態に対してのみ関連しており、本開示を実施する範囲を制限することを意図しておらず、本開示の範囲及び本明細書の内容に従う任意の単純な同等の変更及び修正は、本開示の範囲に帰属する。
【図１】
2018156936.tif 000003
【図２】
2018156936.tif 000004
【図３】
2018156936.tif 000005
【図４】
2018156936.tif 000006
【図５】
2018156936.tif 000007
【図６】
2018156936.tif 000008
【図７】
2018156936.tif 000009
【図８】
2018156936.tif 000010
【図９】
2018156936.tif 000011
【図１０】
2018156936.tif 000012
【図１１】
2018156936.tif 000013
【図１２】
2018156936.tif 000014
【図１３】
2018156936.tif 000015
【図１４】
2018156936.tif 000016
【図１５】
2018156936.tif 000017
【図１６】
2018156936.tif 000018
【図１７】
2018156936.tif 000019
【図１８】
2018156936.tif 000020
【図１９】
2018156936.tif 000021
【図２０】
2018156936.tif 000022
【図２１】
2018156936.tif 000023
【図２２】
2018156936.tif 000024
【図２３】
2018156936.tif 000025
【図２４】
2018156936.tif 000026
【図２５】
2018156936.tif 000027
【図２６】
2018156936.tif 000028
【図２７】
2018156936.tif 000029
【図２８】
2018156936.tif 000030
【図２９】
2018156936.tif 000031
【図３０】
2018156936.tif 000032